(57)【要約】【課題】アンチパニックテーブルおよび会議室用椅子を提供する。【解決手段】特に会議室用椅子のためのアンチパニックテーブル（１０）であって、平坦な支持本体（１３）と、平坦な本体（１３）に少なくとも部分的に埋め込まれ、２つの運動ユニットを有する接合部（１４）とを備え、２つの運動ユニットとは、  アンチパニックテーブル（１０）が適用されるように適合される椅子（１１）の肘掛け（１２）の長手方向軸に実質的に一致する傾斜軸（１７）を中心として、実質的に水平な配置（Ａ）から実質的に垂直な配置（Ｂ）に、およびその逆に平坦な本体（１３）を傾斜させるためのユニット（１５）、  平坦な本体（１３）に垂直な回転軸（１９）を中心として平坦な本体（１３）を回転させるためのユニット（１６）である、アンチパニックテーブルである。【選択図】図２
2017029532.tif 000002
【特許請求の範囲】
【請求項１】
特に会議室用椅子（１１）のためのアンチパニックテーブル（１０）であって、平坦な支持本体（１３）と、前記平坦な本体（１３）に少なくとも部分的に埋め込まれ、２つの運動ユニットを有する接合部（１４）とを備え、前記２つの運動ユニットとは、
前記アンチパニックテーブル（１０）が適用されるように適合される前記椅子（１１）の肘掛け（１２）の長手方向軸に実質的に一致する傾斜軸（１７）を中心として、実質的に水平な配置（Ａ）から実質的に垂直な配置（Ｂ）に、およびその逆に前記平坦な本体（１３）を傾斜させるためのユニット（１５）、
前記平坦な本体（１３）に垂直な回転軸（１９）を中心として前記平坦な本体（１３）を回転させるためのユニット（１６）であることを特徴とする、アンチパニックテーブル。
【請求項２】
前記傾斜ユニット（１５）は、前記実質的に水平な配置（Ａ）および前記実質的に垂直な配置（Ｂ）に従って前記平坦な本体（１３）の傾斜をロックするための第１の手段（１８）を備え、前記回転ユニット（１６）は、配置の同一平面上に規定される少なくとも２つの構成位置に従って前記平坦な本体（１３）の回転をロックするための第２の手段（２０）を備えることを特徴とする、請求項１に記載のアンチパニックテーブル。
【請求項３】
前記傾斜ユニット（１５）は、
前記肘掛け（１２）と一体に連結され、前記傾斜軸（１７）に沿って延ばされるピボット（２１）と、
前記肘掛け（１２）と前記平坦な本体（１３）との間を接続するための要素（２２）とを備え、前記接続要素（２２）は、前記ピボット（２１）を中心として回転することができ、前記ピボット（２１）に嵌められるスリーブ状部分（２９）を備え、前記第１のロッキング手段（１８）は、要素（２８）を備え、前記要素（２８）は、前記ピボット（２１）を横断し、前記ピボット（２１）の端部のうちの一方に最も近い前記ピボット（２１）と一体であり、前記接続要素（２２）の回転中に前記接続要素（２２）のヘッド部（３０）の空洞（３１）の２つの壁に対して当接するように適合されることを特徴とする、請求項２に記載のアンチパニックテーブル。
【請求項４】
前記回転ユニット（１６）は、前記ヘッド部（３０）と一体であり、前記平坦な本体（１３）の回転の中心である前記回転軸（１９）に沿って前記平坦な本体（１３）の開口（３３）に挿入される円筒形要素（３２）を備え、前記円筒形要素（３２）は、前記平坦な本体（１３）の回転を誘導するための溝（３７）を側面に備えることを特徴とする、請求項３に記載のアンチパニックテーブル。
【請求項５】
前記第２のロッキング手段（２０）は、
前記平坦な本体（１３）に収容され、前記回転軸（１９）上で前記平坦な本体（１３）と一体に回転し、回転弧に沿って前記溝（３７）上を一方の端部（４０）とともに摺動するように適合されるロッド（３８）を備え、前記回転弧は、前記端部（４０）とともに前記ロッド（３８）が挿入される前記溝（３７）の２つの凹部（４１）によって区切られ、前記第２のロッキング手段（２０）はさらに、
前記端部（４０）が前記凹部（４１）から出ることを対比するための手段（４２）を備えることを特徴とする、請求項４に記載のアンチパニックテーブル。
【請求項６】
前記対比手段（４２）は、前記ロッド（３８）の周りに巻き付けられ、前記ロッド（３８）を横断する２つの対向する壁（４３）の間に結合されるつる巻きばねで構成されることを特徴とする、請求項５に記載のアンチパニックテーブル。
【請求項７】
前記円筒形要素（３２）は、実質的に環状であり、前記ヘッド部（３０）の柄（４５）上の固有の位置に一体に取付けられ、前記柄を取囲み、前記ヘッド部は、前記柄により前記平坦な本体（１３）に入り込むことを特徴とする、請求項４に記載のアンチパニックテーブル。
【請求項８】
前記円筒形要素（３２）は、前記柄（４５）上の固有の位置に一体に取付けられ、前記柄（４５）の外壁に対して相補的に成形された内部空洞（４６）を備えることを特徴とする、請求項７に記載のアンチパニックテーブル。
【請求項９】
前記傾斜ユニット（１５）および前記回転ユニット（１６）は、前記接合部（１４）に一体化されることを特徴とする、請求項１から８の１つ以上の項に記載のアンチパニックテーブル。
【請求項１０】
前記平坦な本体（１３）は、前記開口（３３）と補強リブ（３６）とを備える支持構造（３４）を備え、前記補強リブ（３６）間には、前記ロッド（３８）を入れるためのコンパートメント（３９）が設けられ、前記平坦な本体（１３）はさらに、前記支持構造（３４）を閉鎖し、前記アンチパニックテーブル（１０）の使用中に静止面を構成するカバー（３５）を備えることを特徴とする、請求項１から９の１つ以上の項に記載のアンチパニックテーブル。
【請求項１１】
前記傾斜ユニット（１５）および前記回転ユニット（１６）は、少なくとも部分的にダイカストアルミニウムでできていることを特徴とする、請求項１から１０の１つ以上の項に記載のアンチパニックテーブル。
【請求項１２】
請求項１から１１の１つ以上の項に記載のアンチパニックテーブルを備えることを特徴とする、会議室用椅子。
【発明の詳細な説明】
【技術分野】
【０００１】
発明の詳細な説明
本発明は、特に会議室用椅子のためのアンチパニックテーブルに関する。
【背景技術】
【０００２】
公知のように、アンチパニックテーブルは、典型的には会議室用であるがそれに限定されない椅子の肘掛けの端部に連結されるテーブルであり、ライティングデスクの役割を果たす。
【０００３】
このようなテーブルは、重力アンチパニック運動接合部を備えていなければならず、すなわち、テーブル、すなわち特に平坦な支持本体が水平にユーザの正面に配置される使用位置から、テーブルが垂直に椅子の側面に配置される不使用位置に、ユーザがテーブルの配置を素早くかつ容易に変更することを可能にし得る接合部を備えていなければならない。
【０００４】
一方の位置から他方の位置に移るために、接合部は、２つのタイプの運動、すなわち水平から垂直に、およびその逆にテーブルを傾斜させることと、テーブルをそれ自体の平面上で回転させることとを可能にする。
【０００５】
現在のところ、肘掛けに連結されたアルミニウム製の運動ユニットと、任意にキャップによって隠されるねじによってテーブルが固定される、プラスチックまたは鋼製の支持体のためのヒンジ運動ユニットとを有する接合部を備えたアンチパニックテーブルが知られている。
【０００６】
このようなユニットは、典型的にはプラスチックまたは積層された木製材料でできているか、または、テーブルが使用位置にある時に一方が下向きに配置され、他方が上向きに配置される、プラスチック材料でできた２つのハーフシェルによって構成され得る。したがって、この最後の変形例では、アンチパニックテーブルは、主に４つの部品、すなわち２つの運動ユニットおよび２つのハーフシェルによって構成されている。
【０００７】
このようなアンチパニックテーブルには欠点がある。当該欠点の中で指摘する必要があるのは、特に２つのハーフシェルおよび固定ねじの存在に起因する構成要素の数、組立ておよび肘掛けへの取付けに必要な煩雑さである。
【０００８】
さらに、このように構築されたアンチパニックテーブルは、多くの運動にさらされ、摩耗および劣化のリスクが比較的高い。
【発明の概要】
【発明が解決しようとする課題】
【０００９】
本発明の意図は、少ない数の構成要素および固定手段を用いて椅子の肘掛けに容易にかつ素早く連結されるアンチパニックテーブルを提供することである。
【００１０】
この意図の範囲内で、本発明の目的は、摩耗および劣化に対して耐性があるアンチパニックテーブルを提供することである。
【００１１】
本発明の別の目的は、公知のタイプのアンチパニックテーブルよりも生産コストが低いアンチパニックテーブルを提供することである。
【００１２】
本発明のさらなる目的は、公知のタイプのテーブルよりも優れた美的効果を有するアンチパニックテーブルを提供することである。
【課題を解決するための手段】
【００１３】
以下でより明らかになるであろうこの意図ならびにこれらのおよび他の目的は、以下によって達成される。すなわち、特に会議室用椅子のためのアンチパニックテーブルであって、平坦な支持本体と、上記平坦な本体に少なくとも部分的に埋め込まれ、２つの運動ユニットを有する接合部とを備え、上記２つの運動ユニットとは、
上記アンチパニックテーブルが適用されるように適合される上記椅子の肘掛けの長手方向軸に実質的に一致する傾斜軸を中心として、実質的に水平な配置から実質的に垂直な配置に、およびその逆に上記平坦な本体を傾斜させるためのユニット、
上記平坦な本体に垂直な回転軸を中心として上記平坦な本体を回転させるためのユニットであることを特徴とする、アンチパニックテーブルによってである。
【００１４】
本発明のさらなる特徴および利点は、添付の図面における非限定的な例によって示される本発明に係るアンチパニックテーブルの好ましいが非排他的な実施例の説明からより明らかになるであろう。
【図面の簡単な説明】
【００１５】
【図１】使用位置における本発明に係るアンチパニックテーブルを備えた会議室用椅子の図である。
【図２】椅子の肘掛けから切離された本発明に係るアンチパニックテーブルの分解斜視図である。
【図３】平坦な本体の内部のいくつかの構成要素を示すために開けられた、水平使用位置における本発明に係るアンチパニックテーブルの、肘掛けに対して上から見た図であり、テーブルは、肘掛けに連結されている。
【図４】使用位置における、肘掛けに連結された本発明に係るアンチパニックテーブルの、肘掛けに対して上から見た図である。
【図５】中間不使用垂直位置における、肘掛けに連結されたアンチパニックテーブルの、肘掛けに対して側面から見た図である。
【図６】線ＶＩ−ＶＩに沿った図４の拡大断面図である。
【図７】線ＶＩＩ−ＶＩＩに沿った図５の拡大断面図である。
【図８】図５と同一の位置における、肘掛けに連結された本発明に係るアンチパニックテーブルの、肘掛けに対して正面から見た図である。
【図９】垂直静止位置における、肘掛けに連結された本発明に係るアンチパニックテーブルの、図８の図と同様の図である。
【図１０】線Ｘ−Ｘに沿った図８の拡大断面図である。
【図１１】線ＸＩ−ＸＩに沿った図９の拡大断面図である。
【発明を実施するための形態】
【００１６】
図面を参照して、本発明に係るアンチパニックテーブルは、概して参照番号１０によって示される。
【００１７】
アンチパニックテーブル１０は、特に、図１に示されるものなどの会議室用椅子１１に連結されるように設計されるが、それに限定されるものではない。会議室用椅子１１は、明らかに肘掛け１２を備えており、肘掛け１２のうちの１つにアンチパニックテーブル１０が適用される。
【００１８】
アンチパニックテーブル１０は、主に、使用中に実質的に机の役割を果たす平坦な支持本体１３と、以下でより明らかになるであろう態様で平坦な本体１３に少なくとも部分的に埋め込まれる接合部１４とを備えている。
【００１９】
接合部１４は、２つの運動ユニット、すなわち傾斜ユニット１５および回転ユニット１６を有し、これらのユニットについては以下で説明する。
【００２０】
傾斜ユニット１５は、アンチパニックテーブル１０が適用されるように適合される椅子１１の肘掛け１２の長手方向軸に実質的に一致する傾斜軸１７を中心として、実質的に水平な配置Ａから実質的に垂直な配置Ｂに、およびその逆に平坦な本体１３の位置を変更することを可能にする。
【００２１】
図１にはっきりと見られるように、水平な配置Ａは、机または一般に支持面の役割を果たすアンチパニックテーブル１０の使用位置の配置と一致し得る。この使用位置は、図３および図４に示されるものとも同一である。
【００２２】
その代わりに、垂直な配置Ｂは、図５および図８では中間不使用位置で示され、図９では不使用位置で示されている。
【００２３】
傾斜ユニット１５は、水平な配置Ａおよび垂直な配置Ｂに沿って平坦な本体１３の傾斜をロックするための第１の手段１８を備えている。
【００２４】
回転ユニット１６は、図８および図９に示されるように、平坦な本体１３に垂直な回転軸１９を中心として平坦な本体１３を回転させることによって平坦な本体１３の位置を変更することを可能にする。
【００２５】
回転ユニット１６は、配置の同一平面上に規定される２つの起こり得る構成位置に従って平坦な本体１３の回転をロックする、例えば中間垂直位置または静止垂直位置に従って平坦な本体１３をロックするための第２の手段２０を備えている。
【００２６】
特に傾斜ユニット１５を参照して、傾斜ユニット１５は、主に、肘掛け１２と一体に連結され、傾斜軸１７に沿って延ばされるピボット２１と、ピボット２１を中心として回転することができる、肘掛け１２と平坦な本体１３との間の接続要素２２とを備えている。
【００２７】
図２の分解図に示されるように、ピボット２１は、肘掛け１２の構造内の挿入部分２３と、接続要素２２と連結するための残りの部分２４とを有しており、残りの部分２４において、ピボット２１は、凸状部２６を有する２つの相補的なシェル２５によって覆われており、凸状部２６は、ピボット２１が肘掛け１２の構造から出ることを防止する。
【００２８】
連結部２４は、孔２７を有しており、孔２７は、対応してシェル２５のカバーに形成され、ピボット２１から突き出る、ピボット２１と一体の横断要素２８を挿入するために、ピボット２１に対して径方向になされている。
【００２９】
傾斜ユニット１５のいくつかの部品は、図６および図７の断面図にも示されている。
接続要素２２は、ピボット２１に嵌められるスリーブ状部分２９と、ヘッド部３０とを有している。
【００３０】
第１のロッキング手段１８は、要素２８を備えており、要素２８は、ピボット２１を横断し、図６および図７の断面図に２つの構成で示されている態様で、ピボット２１の端部のうちの一方に最も近いピボット２１と一体にねじ留めされ、接続要素２２の回転中に接続要素２２のヘッド部３０の空洞３１の２つの壁に対して、ピボット２１から突き出るヘッドが当接するように適合されるように、実質的にねじで構成されている。
【００３１】
アンチパニックテーブル１０の回転ユニット１６に関して、その構成要素は、やはり図２の分解図に示され、はっきりと見られ、図１０および図１１の断面図では相互作用状態で示されている。
【００３２】
それらの図を観察することによって、上記ユニットが、接続要素２２のヘッド部３０と一体であり、平坦な本体１３の回転の中心である回転軸１９に沿って上記本体の開口３３に挿入される円筒形要素３２を備えていることに気付くことができる。
【００３３】
特に、開口３３は、支持構造３４を閉鎖するカバー３５とともに平坦な本体１３の一部である支持構造３４に形成されている。支持構造３４は、実質的には、アンチパニックテーブル１０の使用位置に対する平坦な本体１３の下方部分であるのに対して、カバー３５は、使用中に静止面を構成する。
【００３４】
平坦な本体１３が開かれている図３では、支持構造３４が補強リブ３６も有していることがはっきりと見られる。
【００３５】
円筒形要素３２は、平坦な本体１３の回転を誘導するための、図２にはっきりと見られる溝３７を側面に備えている。
【００３６】
実際に、第２のロッキング手段２０は、
平坦な本体１３、すなわち支持構造３４の補強リブ３６間に設けられたコンパートメント３９に収容され、回転軸１９を中心として平坦な本体１３と一体に回転し、回転弧に沿って円筒形要素３２の溝３７上を一端４０とともに摺動するようにさらに適合されるロッド３８を備え、当該回転弧は、端部４０とともにロッド３８が挿入される溝３７の２つの凹部４１によって区切られ、第２のロッキング手段２０はさらに、
端部４０が凹部４１から出ることを対比するための手段４２を備えている。
【００３７】
対比手段４２は、ロッド３８の周りに巻き付けられ、ロッド３８を横断する２つの対向する壁４３の間に結合されるつる巻きばねで構成されている。
【００３８】
対向する壁４３のうちの一方は、実質的に２つの補強リブ３６間に置かれるのに対して、他方の壁は、ロッド３８が挿入され、ロッド３８をコンパートメント３９内に維持するように設計された安定要素４４の一部である。
【００３９】
特に図２における円筒形要素３２を観察することによって、より正確には円筒形要素３２は、リング形状であり、ヘッド部３０の柄４５上の固有の位置に取付けられ、柄４５を取囲み、柄４５によりヘッド部３０が平坦な本体１３に挿入される、ということに気付くことができる。
【００４０】
円筒形要素３２は、固有の位置に取付けられ、接続要素２２と一体にされ、柄４５の外壁に対して相補的に成形された内部空洞４６を有し、横方向平坦化を有する。
【００４１】
推測可能であるように、傾斜ユニット１５および回転ユニット１６は、有利に接合部１４に一体化され、平坦な本体１３の運動の際に協働するように適合されている。
【００４２】
さらに、図２に示されるように、円筒形要素３２および柄４５に重ね合わせられるようにカバー固定要素４７も存在し、支持構造３４の内側から２つの固定ねじ４８によりカバー固定要素４７を円筒形要素３２および柄４５に固定する。
【００４３】
２つの運動ユニット、すなわち傾斜ユニット１５および回転ユニット１６、を構成する記載されている要素の大半は、好ましくはダイカストアルミニウムでできている。特に、接続要素２２、円筒形要素３２、支持構造３４および固定要素４７は、ダイカストアルミニウムでできている。その代わりに、カバー３５は、好ましくはプラスチック材料でできている。
【００４４】
全ての構成要素は、右利き用の作動によるアンチパニックテーブルの部品として示されてきたが、円筒形要素３２は別として、左利き用の作動によるアンチパニックテーブルを提供するように組立てられることもできる。この目的のために、円筒形要素３２は、示されているバージョンに対して実質的に鏡面対称の態様で設けられなければならない。
【００４５】
さらに、円筒形要素３２は、示されているものなどの１８０度にわたる回転、または要件に従って異なる回転を確実にするような位置に、２つの凹部４１を有していてもよい。
【００４６】
本発明に係るアンチパニックテーブルの動作は、以下の通りである。
図４に示されている水平な配置Ａを有する使用位置から、図５に示されている垂直な配置Ｂを有する中間不使用位置にアンチパニックテーブル１０の平坦な本体１３を移動させるために、ユーザは、傾斜軸１７を中心として平坦な本体１３を回転させることによって平坦な本体１３を垂直に傾斜させなければならない。
【００４７】
この移動中に、平坦な本体１３は、ピボット２１を中心として回転する接続要素２２と一体に移動する。最初はヘッド部３０の空洞３１の壁の上にあって平坦な本体１３が下向きに回転することを防止する横断要素２８は、上記の壁に実質的に対向する空洞３１の壁に対して当接し、平坦な本体１３が直角以上にわたって回転することを防止する。
【００４８】
その後、ユーザは、図８に示されている垂直な配置Ｂを有する中間垂直位置から、図９に示されている不使用位置にアンチパニックテーブル１０の平坦な本体１３を移動させるために、回転軸１９を中心として平坦な本体１３を回転させる。
【００４９】
この移動中に、平坦な本体１３は、ピボット２１と一体のまま、円筒形要素３２を中心として、その中に挿入されたヘッド部３０に対して回転する。
【００５０】
ロッド３８の端部４０は、最初は、対比手段４２によって、凹部４１、すなわち図１０の図では最上部の凹部において、円筒形要素３２を押している。
【００５１】
アンチパニックテーブル１０が回転させられると、ロッド３８は、接合部１４の外側の方に押され、対比手段４２のつる巻きばねが圧縮され、凹部４１が解放される。
【００５２】
次いで、ロッド３８は、対比手段４２のばねによって押される（図１１に示される例では、上記の凹部に対して対向する）第２の凹部４１を見つけるまで、平坦の本体１３の回転中に端部４０とともに溝３７内を摺動する。
【００５３】
次いで、第２のロッキング手段２０は、ロッド３８が、その端部４０とともに、挿入された凹部４１から偶然に出てしまうことを防止する。
【００５４】
アンチパニックテーブル１０は、組立て済みの、椅子の肘掛けにすぐに据え付けることができる状態で販売されることができる。
【００５５】
この動作は、固定ねじを必要とせず、実際には、肘掛け１２の構造に挿入されたピボット２１の連結部２４に接続要素２２のスリーブ状部分２９を（２つのシェル２５を介在させて）嵌めることで十分である。
【００５６】
なお、平坦な支持本体が接合部の外側に固定された上記の公知の解決策とは異なって、接合部１４が、そこに一体化された２つの運動ユニットによって構成され、接合部１４が平坦な本体１３に部分的に埋め込まれるという事実は、平坦な本体１３、特に支持構造３４を実質的に接合部１４の一部にする。
【００５７】
このように、アンチパニックテーブルは、もはや主に４つの部品によって構成されるのではなく、その代わりに３つの部品、すなわち２つの運動ユニットおよびカバー３５によって構成される。
【００５８】
実際には、接合部がアンチパニックテーブルの平坦な本体に部分的に一体化されるので、固定ねじを用いることなく、肘掛けから突き出るピボットに接続要素のスリーブ状部分を単に嵌めることによって容易にかつ素早く椅子の肘掛けに連結されるアンチパニックテーブルを提供することによって、本発明は所期の意図および目的を達成することが分かった。
【００５９】
このように、アンチパニックテーブルは、公知のタイプのアンチパニックテーブルよりも摩耗および劣化に対してより耐性がある。
【００６０】
さらに、目に見える固定手段がないので、公知のアンチパニックテーブルよりも美的効果が優れている。
【００６１】
別の利点は、支持構造が、そこに連結される構成要素ではなく実質的に接合部の一部であるので、構成要素の数が少ないために生産コストが減少するという点にある。
【００６２】
このように考案された本発明は、多くの変形例および変更例が可能であり、変形例および変更例は全て、添付の特許請求の範囲の範囲内であり、さらに、全ての詳細は、他の技術的に等価の要素と置換されてもよい。
【００６３】
実際には、要件および技術水準に従って、使用される材料は、特定の用途と適合する限りいずれのものであってもよく、付随する形状および寸法もいずれのものであってもよい。
【符号の説明】
【００６４】
１０  アンチパニックテーブル、１１  椅子、１２  肘掛け、１３  平坦な本体、１５  傾斜ユニット、１６  回転ユニット、１７  傾斜軸、１９  回転軸、Ａ  水平な配置、Ｂ  垂直な配置。
【図１】
2017029532.tif 000003
【図２】
2017029532.tif 000004
【図３】
2017029532.tif 000005
【図４】
2017029532.tif 000006
【図５】
2017029532.tif 000007
【図６】
2017029532.tif 000008
【図７】
2017029532.tif 000009
【図８】
2017029532.tif 000010
【図９】
2017029532.tif 000011
【図１０】
2017029532.tif 000012
【図１１】
2017029532.tif 000013
【外国語明細書】
2017029532000001.pdf